(57)【要約】 【課題】  情報の記録および再生の信頼性を向上することができるとともに、製造時の工数の低減を図ることができる光ピックアップ装置およびこれが搭載される電子機器ならびに光ピックアップ装置の製造方法を提供する。【解決手段】  ステム４７の厚み方向一表面部と、ハウジング８０の一表面部との間に板体８２を介在させることで主光線Ｌ１に対して発光軸を傾け、かつアクチュエータ７８によって、対物レンズ３７をトラッキング方向に移動させることで、第１および第２光源４１，４２からの発散光束の発光強度分布に片寄りが生じることを防ぎ、歪みの無い所望の光スポット形状の光束を光記録媒体３８に結像させる。【選択図】      図１
2006302429.tif 000002
【特許請求の範囲】
【請求項１】
光記録媒体の情報を読取る処理および光記録媒体に情報を記録する処理の少なくともいずれか一方の処理をする光ピックアップ装置であって、
光束を発する光源と、
光源から発せられる光束を光記録媒体に集光させる集光手段と、
光源の発光点と集光手段の入射瞳中心とを結ぶ主光線に対して、前記光源の発光強度分布の中心を成す発光軸を傾け可能な傾斜手段と、
集光手段をトラッキング方向に移動可能な移動手段とを有することを特徴とする光ピックアップ装置。
【請求項２】
前記光源は、異なる波長の光束を発する複数の発光素子を含むことを特徴とする請求項１記載の光ピックアップ装置。
【請求項３】
前記傾斜手段は、
光源を支持する支持手段と、
支持手段の一部と光源の一部との間に介在され、かつ支持手段に対する光源の支持角度を変位可能な板体とを含むことを特徴とする請求項１または２記載の光ピックアップ装置。
【請求項４】
前記支持手段は、板体を介して光源を固定するための突起部を有することを特徴とする請求項３記載の光ピックアップ装置。
【請求項５】
前記突起部は、光源の一部を成す基準面に対して直交する方向に突出するように配設されることを特徴とする請求項４記載の光ピックアップ装置。
【請求項６】
前記板体には、突起部に嵌合可能な孔部が形成されることを特徴とする請求項４または５記載の光ピックアップ装置。
【請求項７】
発光素子は、半導体レーザ素子であることを特徴とする請求項２に記載の光ピックアップ装置。
【請求項８】
前記光源とホログラム素子とが一体に構成されることを特徴とする請求項１記載の光ピックアップ装置。
【請求項９】
請求項１〜８のいずれか１つに記載の光ピックアップ装置が搭載されることを特徴とする電子機器。
【請求項１０】
光記録媒体の情報を読取る処理および光記録媒体に情報を記録する処理の少なくともいずれか一方の処理をする光ピックアップ装置の製造方法であって、
光源の発光点と、光源から発せられる光束を光記録媒体に集光させる集光手段の入射瞳中心とを結ぶ主光線に対して、前記光源の発光強度分布の中心を成す発光軸を傾ける傾斜工程と、
集光手段をトラッキング方向に移動させる移動工程とを含むことを特徴とする光ピックアップ装置の製造方法。
【請求項１１】
前記傾斜工程の後、移動工程を行うことを特徴とする請求項１０記載の光ピックアップ装置の製造方法。
【請求項１２】
前記光源を支持する支持手段を含み、傾斜工程の前に予め前記支持手段を成型する成型工程を含むことを特徴とする請求項１０または１１記載の光ピックアップ装置の製造方法。
【請求項１３】
前記傾斜工程は、
光源の発光点と集光手段の入射瞳中心とを結ぶ主光線に対して、光源の発光強度分布の中心を成す発光軸を傾ける方向を決定する方向決定段階と、
前記方向決定段階の後、発光軸の傾きを調整する調整段階とを含むことを特徴とする請求項１０〜１２のいずれか１つに記載の光ピックアップ装置の製造方法。
【発明の詳細な説明】
【技術分野】
【０００１】
本発明は、ＣＤ（Compact Disk）およびＤＶＤ（Digital Versatile Disk）などの光記録媒体の情報を読取り、かつ光記録媒体に情報を記録する光ピックアップ装置およびこれが搭載される電子機器ならびに光ピックアップ装置の製造方法に関する。
【背景技術】
【０００２】
図１５は、従来の技術の光ピックアップ装置１の構成を示す平面図である。図１６は、光ピックアップ装置１の構成を示す側面図である。図１７は、第１ホログラムレーザユニット２の構成を示す斜視図である。図１６では、理解を容易にするために、第１ホログラムレーザユニット２および第２ホログラムレーザユニット３を省略している。図１７では、後述するキャップ部１１の一部を切り欠いて示している。以下の説明において、先行して説明している事項に対応する部分については同一の参照符を付し、説明を省略する。
【０００３】
従来の技術の光ピックアップ装置１では、光源から発せられる発散光束を光記録媒体へ導くためにハーフミラーなどを含むビームスプリッタが用いられている。近年では、光学部品を削減するために、光源と、コリメートレンズとの間にビームスプリッタが配設され、コリメートレンズが、光源から発せられる発散光束を略平行光束に変換する役割と、光記録媒体で反射された反射光束を信号検出手段に向けて再び集光して導く役割とを兼備えるように構成される光ピックアップ装置が実用に供されている。
【０００４】
光ピックアップ装置１は、第１ホログラムレーザユニット２および第２ホログラムレーザユニット３を含む。第１ホログラムレーザユニット２は第１光源５を備え、第２ホログラムレーザユニット３は第２光源６を備える。第１光源５は、半導体レーザ素子によって実現される第１発光素子７、光検出器８、ステム１０およびキャップ部１１を含む。第２光源６は、第２発光素子８、光検出器８、ステム１０およびキャップ部１１を含む。ステム１０上には、第１発光素子７または第２発光素子８、および光検出器９が間隔をあけて設けられる。ステム１０にキャップ部１１が装着されると、第１または第２発光素子７，８および光検出器９は、ステム１０およびキャップ部１１によって密封される。キャップ部１１の一表面部には、略直方体状のホログラム素子１２が配設される。ホログラム素子１２の一表面部には、ホログラム回折格子１３が形成される。光ピックアップ装置１において、第１または第２発光素子７，８の発光点から発せられたレーザ光は、ホログラム回折格子１３を透過して、ビームスプリッタ１５、コリメートレンズ１６、立上げミラー１７、アパーチャ１８および対物レンズ１９を通過して光記録媒体２０で反射され、その反射された光がホログラム回折格子１３によって回折されて光検出器９に導かれ、光検出器９によって光電変換される。
【０００５】
第１または第２発光素子７，８をステム１０上に配設するとき、およびホログラム素子１２をキャップ部１１の一表面部に配設するとき、配設する第１または第２発光素子７，８およびホログラム素子１２の位置が所定位置からずれる位置ずれが生じる場合がある。これによって第１または第２発光素子７，８の発光点とホログラム回折格子１３との位置関係が、光学的に理想的な位置関係にならない場合がある。第１または第２発光素子７，８の発光点とホログラム回折格子１３との位置ずれが生じた場合、光記録媒体２０で反射された光を所望の光検出器９上に導くことができず、良好な誤差信号を得ることが困難になるという問題がある。
【０００６】
そこで特許文献１に記載の光ヘッドでは、光学系の主光線に対して光源の発光軸を傾けて配置し、予め発散光束の強度分布を光学系の主光線に対して片寄らせるか、または対物レンズの入射瞳を意図的に変位させて配置することによって、前記問題点を解消している。そして、光源の取付け部および光ピックアップ装置の筐体の少なくともいずれか一方は、光源を傾かせるために、光源を回転自在に保持するように構成される。また、光源を傾かせるための技術が特許文献２に記載されている。特許文献２に記載の光学ヘッドでは、光源を傾ける手段として、予め調整した光源のホルダをケースの嵌合部に嵌合させて光源の位置決めをするように構成される。
【０００７】
【特許文献１】特開平６−１３９６１３号公報
【特許文献２】特開２００３−３１７２６４号公報
【発明の開示】
【発明が解決しようとする課題】
【０００８】
特許文献１に記載の光ヘッドでは、光源を傾ける代わりに対物レンズの入射瞳を意図的に変位させるように構成されているが、この場合、光源の製造上のばらつきによって対物レンズの移動量が大きくなり、入射瞳の変位量が理想的な変位量よりも大きくなる。これによって光記録媒体に対する情報の記録および再生の信頼性が低下するという問題がある。
【０００９】
特許文献２に記載の光学ヘッドでは、光源を傾けるために、筐体を特殊な形状に加工しなければならず、高い加工精度が要求される。そのうえ光源を筐体に取付けた後で光源を回転調整する作業が必要となるので、光源の回転調整作業によって生産効率が低下するという問題がある。また光源のホルダへの組立時に、光源から発せられる光の出射方向が光学的に望ましい条件を満たすように光源の位置を調整しなければならないので、組立作業が困難である。このように特許文献２に記載の従来の技術では、光学ヘッドを製造する際の工数が増大する。
【００１０】
本発明の目的は、情報の記録および再生の信頼性を向上することができるとともに、製造時の工数の低減を図ることができる光ピックアップ装置およびこれが搭載される電子機器ならびに光ピックアップ装置の製造方法を提供することである。
【課題を解決するための手段】
【００１１】
本発明は、光記録媒体の情報を読取る処理および光記録媒体に情報を記録する処理の少なくともいずれか一方の処理をする光ピックアップ装置であって、
光束を発する光源と、
光源から発せられる光束を光記録媒体に集光させる集光手段と、
光源の発光点と集光手段の入射瞳中心とを結ぶ主光線に対して、前記光源の発光強度分布の中心を成す発光軸を傾け可能な傾斜手段と、
集光手段をトラッキング方向に移動可能な移動手段とを有することを特徴とする光ピックアップ装置である。
【００１２】
また本発明は、前記光源は、異なる波長の光束を発する複数の発光素子を含むことを特徴とする。
【００１３】
また本発明は、前記傾斜手段は、
光源を支持する支持手段と、
支持手段の一部と光源の一部との間に介在され、かつ支持手段に対する光源の支持角度を変位可能な板体とを含むことを特徴とする。
【００１４】
また本発明は、前記支持手段は、板体を介して光源を固定するための突起部を有することを特徴とする。
【００１５】
また本発明は、前記突起部は、光源の一部を成す基準面に対して直交する方向に突出するように配設されることを特徴とする。
【００１６】
また本発明は、前記板体には、突起部に嵌合可能な孔部が形成されることを特徴とする。
【００１７】
また本発明は、発光素子は、半導体レーザ素子であることを特徴とする。
また本発明は、前記光源とホログラム素子とが一体に構成されることを特徴とする。
【００１８】
また本発明は、前記光ピックアップ装置が搭載されることを特徴とする電子機器である。
【００１９】
また本発明は、光記録媒体の情報を読取る処理および光記録媒体に情報を記録する処理の少なくともいずれか一方の処理をする光ピックアップ装置の製造方法であって、
光源の発光点と、光源から発せられる光束を光記録媒体に集光させる集光手段の入射瞳中心とを結ぶ主光線に対して、前記光源の発光強度分布の中心を成す発光軸を傾ける傾斜工程と、
集光手段をトラッキング方向に移動させる移動工程とを含むことを特徴とする光ピックアップ装置の製造方法である。
また本発明は、前記傾斜工程の後、移動工程を行うことを特徴とする。
【００２０】
また本発明は、前記光源を支持する支持手段を含み、傾斜工程の前に予め前記支持手段を成型する成型工程を含むことを特徴とする。
【００２１】
また本発明は、前記傾斜工程は、
光源の発光点と集光手段の入射瞳中心とを結ぶ主光線に対して、光源の発光強度分布の中心を成す発光軸を傾ける方向を決定する方向決定段階と、
前記方向決定段階の後、発光軸の傾きを調整する調整段階とを含むことを特徴とする。
【発明の効果】
【００２２】
本発明によれば、傾斜手段によって、光源の発光点と集光手段の入射瞳の中心とを結ぶ主光線に対して、前記光源の発光強度分布の中心を成す発光軸を傾け、かつ移動手段によって、光源から発せられる光束を光記録媒体に集光させる集光手段をトラッキング方向、つまり光記録媒体の半径方向に略平行な方向に移動させる。したがって光源の製造上のばらつきによって、光源からの発散光束の発光強度分布に片寄りが生じることを防ぐことができる。また前記従来の技術とは異なり、光源の製造上のばらつきによって集光手段のトラッキング方向への移動量が大きくなり、入射瞳の変位量が理想的な変位量よりも大きくなることを防ぐ、換言すると入射瞳の変位量を最小限に抑えることができる。これによって集光手段の入射瞳に、発光強度分布がほぼ対称な光束を入射させることができ、歪みの無い所望の光スポット形状の光束を光記録媒体に結像させることができる。
【００２３】
したがって再生信号の時間軸方向の揺らぎ成分であるジッターを最小限に抑えることができ、フォーカス誤差信号およびトラッキング誤差信号の品質を向上することができる。これによって光記録媒体に対する情報の記録および再生の信頼性を向上することができる。このように傾斜手段と移動手段とで協働して、発光強度分布の片寄りを防止できるうえ、誤差信号などの品質向上を図ることが可能となるので、筐体が特殊形状である従来の技術に比べて、光ピックアップ装置の構造を簡単化することができる。したがって情報の記録および再生の信頼性を向上することができるとともに、製造時の工数の低減を図ることができる。
【００２４】
また本発明によれば、光源が、異なる波長の光束を発する複数の発光素子を含む場合でも、複数の発光素子の各発光点と集光手段の入射瞳中心とを結ぶ主光線に対して前記光源の発光強度分布の中心を成す発光軸を傾け、かつ集光手段をトラッキング方向に移動させることによって、光源の製造上のばらつきによって光源からの発散光束の発光強度分布に片寄りが生じることを防ぐことができる。したがって歪みの無い所望の光スポット形状の光束を光記録媒体に結像させることができる。これによってフォーカス誤差信号およびトラッキング誤差信号の品質を向上することができ、光記録媒体に対する情報の記録および再生の信頼性を向上することができる。
【００２５】
また本発明によれば、光源を支持する支持手段の一部と光源の一部との間に板体を介在させることによって、支持手段に対する光源の支持角度を変位させることができる。したがって本発明では、光源を傾ける、つまり前記主光線に対して発光軸を傾けるために、支持手段を特殊な形状に加工する必要がある前記従来の技術とは異なり、支持手段の一部と光源の一部との間に板体を介在させるだけで、比較的容易に主光線に対して発光軸を傾けることができる。これによって光ピックアップ装置を製造するときの工数を低減することができるとともに、設備コストなどの低減化を図ることによって製造コストを低減することができる。
【００２６】
また本発明によれば、支持手段の突起部によって、板体を介して光源を確実かつ迅速に固定することができる。
【００２７】
また本発明によれば、支持手段の突起部は、光源の一部を成す基準面に対して直交する方向に突出するように配設されるので、支持手段に対して板体および光源を仮止めすることなく支持することができる。したがって支持手段から板体および光源が不所望に脱落することを極力防止することができる。
【００２８】
また本発明によれば、板体には、突起部に嵌合可能な孔部が形成される。板体に形成される孔部に、支持手段の突起部が嵌合されるので、支持手段によって板体を確実に支持することができる。これによって支持手段から板体が脱落することを確実に防止することができる。
【００２９】
また本発明によれば、発光素子は、半導体レーザ素子によって実現することができる。
また本発明によれば、光源とホログラム素子とが一体に構成される。したがって光源とホログラム素子とが別体に構成される（以下、「別体品」という）場合に比べて光ピックアップ装置の製造時における工数が低減されるとともに、光軸調整などの光学的調整作業も簡素化される。さらに別体品に比べて部品点数の低減化を図ることが可能となる。このように工数の低減および調整作業の簡素化によって、光ピックアップ装置の製造コストを低減することができる。
【００３０】
また本発明によれば、前述のような光ピックアップ装置を含む電子機器を実現することができる。したがって前述のような各効果を達成可能な電子機器を実現することができる。
【００３１】
また本発明によれば、傾斜工程では、光源の発光点と、光源から発せられる光束を光記録媒体に集光させる集光手段の入射瞳中心とを結ぶ主光線に対して、前記光源の発光強度分布の中心を成す発光軸を傾ける。移動工程では、集光手段をトラッキング方向、つまり光記録媒体の半径方向に略平行な方向に移動させる。したがって光源の製造上のばらつきによって、光源からの発散光束の発光強度分布に片寄りが生じることを防ぐことができる。また前記従来の技術とは異なり、光源の製造上のばらつきによって集光手段のトラッキング方向への移動量が大きくなり、入射瞳の変位量が理想的な変位量よりも大きくなることを防ぐ、換言すると入射瞳の変位量を最小限に抑えることができる。これによって集光手段の入射瞳に、発光強度分布がほぼ対称な光束を入射させることができ、歪みの無い所望の光スポット形状の光束を光記録媒体に結像させることができる。
【００３２】
したがって再生信号の時間軸方向の揺らぎ成分であるジッターを最小限に抑えることができ、フォーカス誤差信号およびトラッキング誤差信号の品質を向上することができる。これによって光記録媒体に対する情報の記録および再生の信頼性を向上することができる。このように傾斜工程および移動工程によって、発光強度分布の片寄りを防止できるうえ、誤差信号などの品質向上を図ることが可能となるので、筐体が特殊形状である従来の技術に比べて、光ピックアップ装置の構造を簡単化することができる。したがって情報の記録および再生の信頼性を向上することができるとともに、製造時の工数の低減を図ることができる。
【００３３】
また本発明によれば、傾斜工程において、光源の発光点と集光手段の入射瞳中心とを結ぶ主光線に対して、前記光源の発光強度分布の中心を成す発光軸を傾けた後に、移動工程において、集光手段をトラッキング方向に移動させる。前述のように傾斜工程で発光軸を傾けることによって、光源の製造上のばらつきによって生じる光源からの発散光束の発光強度分布の片寄りをほぼ補正することができるので、移動工程における集光手段の移動量を小さくすることができる。したがって、光源の製造上のばらつきによって集光手段の入射瞳の変位量が理想的な変位量よりも大きくなることを防ぐ、つまり入射瞳の変位量を最小限に抑えることができる。これによって光記録媒体に対する情報の記録および再生の信頼性を向上することができる。
【００３４】
また本発明によれば、予め傾斜工程の前に光源を支持する支持手段を成型する成型工程を行う。これによって支持手段の量産性を高めることができる。
【００３５】
また本発明によれば、傾斜工程における方向決定段階において、光源の発光点と集光手段の入射瞳中心とを結ぶ主光線に対して、光源の発光強度分布の中心を成す発光軸を傾ける方向を決定し、方向決定段階で前記発光軸を傾ける方向を決定した後、調整段階において、発光軸の傾きを調整する。前述のように光源の製造上のばらつきを考慮し、予め主光線に対する発光軸を傾ける方向を決定した後で、決定した方向に応じて発光軸の傾きを調整して光源を組立てることができるので、光ピックアップ装置の歩留まりを向上することができる。
【発明を実施するための最良の形態】
【００３６】
以下に、本発明を実施するための形態について説明する。以下の説明において、先行して説明している事項に対応する部分については同一の参照符を付し、重複する説明を省略する場合がある。構成の一部のみを説明している場合、構成の他の部分は、先行して説明している部分と同様とする。
【００３７】
図１は、本発明の実施の一形態である光ピックアップ装置３０の構成を示す平面図であり、図２は光ピックアップ装置３０の構成を示す側面図である。図２では、理解を容易にするために第１ホログラムレーザユニット３１および第２ホログラムレーザユニット３２を省略している。以下の説明では、光ピックアップ装置の製造方法の説明をも含む。光ピックアップ装置３０は、コンパクトディスク（Compact Disk；略称：ＣＤ）およびディジタルバーサタイルディスク（Digital Versatile Disk；略称：ＤＶＤ）などの光ディスク状記録媒体（以下、単に「光記録媒体」と表記する）３８に対して光束を照射することによって、光記録媒体３８の情報を読取る処理および光記録媒体３８に情報を記録する処理の少なくともいずれか一方の処理をする。
【００３８】
光ピックアップ装置３０は、第１ホログラムレーザユニット３１、第２ホログラムレーザユニット３２、ビームスプリッタ３３、コリメートレンズ３４、立上げミラー３５、アパーチャ３６および対物レンズ３７を含んで構成される。第１ホログラムレーザユニット３１は、第１光源４１およびホログラム素子４３を含む。第１光源４１は、第１発光素子４５、光検出器４６、ステム４７、キャップ部４８および電極部４９を含む。第１発光素子４４は、半導体レーザ素子によって実現され、発振波長がたとえば６５０ｎｍの赤色波長（以下、「第１波長」という場合がある）のレーザ光を発する。光検出器４６は、たとえばフォトダイオードによって実現される。光検出器４６は、後述するホログラム素子４３によって回折される光を、それぞれ異なる領域で受光する複数の受光領域を有する。光検出器４６は、受光した光に基づいて、光電変換によって光を電気信号に変換して、光記録媒体３８のピットの信号を検出する。略長方形平板状に形成されるステム４７の厚み方向一表面部には、第１発光素子４４および光検出器４６が配設される。キャップ部４８は、第１発光素子４４および光検出器４６と、外部との物理的接触を避けるために、第１発光素子４４および光検出器４６を封止する封止部材であり、ステム４７の厚み方向一表面部に装着される。これによって、第１発光素子４４および光検出器４６は、ステム４７およびキャップ部４８によって密封される。電極部４９は、ステム４７の厚み方向他表面部からステム４７の厚み方向他方に突出して設けられ、第１発光素子４４および光検出器４６と電気的に接続されている。
【００３９】
第２ホログラムレーザユニット３２は、第２光源４２およびホログラム素子４３を含む。第２光源４２は、第２発光素子４５、光検出器４６、ステム４７、キャップ部４８および電極部４９を含む。第２発光素子４５は、半導体レーザ素子によって実現され、発振波長がたとえば７８０ｎｍの赤外波長（以下、「第２波長」という場合がある）のレーザ光を発する。以下の説明において、第１および第２発光素子４４，４５から発せられる「レーザ光」を「光束」または単に「光」という場合がある。第２光源４２のステム４７の厚み方向一表面部には、第２発光素子４５および光検出器４６が配設されるとともに、キャップ部４８が装着される。これによって第２発光素子４５および光検出器４６は、ステム４７およびキャップ部４８によって密封される。
【００４０】
前記第１光源４１および第２光源４２（以下、「光源」と総称する場合がある）には、ホログラム素子４３が搭載される。さらに述べると、前記第１および第２光源４２，４３のキャップ部４８の一表面部にホログラム素子４３が設けられる。ホログラム素子４３は、略直方体状にガラスによって形成される。ホログラム素子４３の一表面部には、ホログラム回折格子５０（図３参照）が形成される。ホログラム回折格子５０は、第１および第２発光素子４４，４５から発せられて、ＤＶＤおよびＣＤなどの光記録媒体３８で反射される光束を回折させる。
【００４１】
ビームスプリッタ３３は、反射面部３３ａを有し、任意の方位の直線偏光の光が前記反射面部３３ａに入射したとき、その直線偏光をＰ方位成分とＳ方位線分とに分離して、Ｐ方位成分は透過させるとともに、Ｓ方位成分を９０度反射させる。コリメートレンズ３４は、入射したレーザ光を平行光にする。立上げミラー３５は、第１および第２発光素子４４，４５から発せられ、ビームスプリッタ３３を通過したレーザ光の光経路を９０度屈曲させ、前記レーザ光を対物レンズ３７へ導く。アパーチャ３６は、後述する対物レンズ３７の入射瞳径を規定するための絞りである。対物レンズ３７は、集光手段であり、立上げミラー３５によって屈曲され、アパーチャ３６を通過した前記レーザ光を光記録媒体３８に集光させる。光ピックアップ装置３０における主光線Ｌ１は、第１および第２光源４１，４２における第１および第２発光素子４４，４５の発光点と、アパーチャ３６の中心とで規定される光線、換言すると前記発光点と、対物レンズ３７の入射瞳の中心（以下、「入射瞳中心」という場合がある）とを結ぶ光線である。第１発光軸Ｒ１は、主光線Ｌ１に対して第１光源４１の発光強度分布の中心を成す軸であり、第２発光軸Ｒ２は、主光線Ｌ１に対して第２光源４２の発光強度分布の中心を成す軸である。以下の説明では、「発光強度分布」を、単に「強度分布」という場合がある。
【００４２】
第１光源４１の電極部４９から第１発光素子４４に駆動電圧および駆動電流が供給されると、第１発光素子４４から第１波長のレーザ光が発せられる。第１発光素子４４から発せられる発散光束５５は、ホログラム素子４３のホログラム回折格子５０およびビームスプリッタ３３を透過し、コリメートレンズ３４に入射して平行光束５６に変換される。この平行光束５６は、立上げミラー３５によって９０度屈曲されて対物レンズ３７に導かれ、対物レンズ３７によって集束光束５７となり、光記録媒体３８の情報記録面に光スポットを結像する。光記録媒体３８で反射された反射光束５８は、対物レンズ３７を通過して平行光束５６となり、立上げミラー３５を介してコリメートレンズ３４に入射して集束光束となる。この集束光束は、ビームスプリッタ３３を透過してホログラム素子４３に入射し、ホログラム回折格子５０によって回折されて、光検出器４６の所定の受光領域に導かれる。
【００４３】
第２光源４２の電極部４９から第２発光素子４５に駆動電圧および駆動電流が供給されると、第２発光素子４５から第２波長のレーザ光が発せられる。第２発光素子４５から発せられる発散光束５９は、ホログラム素子４３のホログラム回折格子５０を透過し、ビームスプリッタ３３の反射面部３３ａに入射する。前記発散光束５９は、反射面部３３ａで反射され、反射された光束はコリメートレンズ３４に入射して平行光束５６に変換される。この平行光束５６は、立上げミラー３５を介して対物レンズ３７に導かれ、対物レンズ３７によって集束光束５７となり、光記録媒体３８の情報記録面に光スポットを結像する。光記録媒体３８で反射された反射光束５８は、対物レンズ３７、立上げミラー３５、コリメートレンズ３４を通過してビームスプリッタ３３の反射面部３３ａに入射し、９０度屈曲されてホログラム素子４３に入射する。そしてホログラム回折格子５０によって回折されて、光検出器４６の所定の受光領域に導かれる。
【００４４】
第１光源４１の第１発光素子４４から発せられる光束の直径と、第２光源４２の第２発光素子４５から発せられる光束の直径とは異なるので、第１光源４１の第１発光素子４４から発せられる光束と、第２光源４２の第２発光素子４５から発せられる光束との光経路は厳密には異なるが、本実施の形態では、理解を容易にするために、同一の光経路としている。
【００４５】
従来の技術の光ピックアップ装置では、後でも述べるように、光源の製造上のばらつき、および入射角依存性を有するビームスプリッタ３３の反射面部３３ａにおける反射率の変動によって、光記録媒体３８で反射され、ホログラム回折格子５０の第２および第３格子領域６２，６３に入射される光量の不均衡、および光源から発せられ、ビームスプリッタ３３で反射される光束の強度分布の片寄りが発生し、光記録媒体３８に対する情報の記録および再生の信頼性が低下してしまうという問題がある。そこで本実施形態に係る光ピックアップ装置３０では、前記問題の発生を防ぐために、後述するように傾斜手段であるハウジング８０および板体８２によって第１および第２発光軸Ｒ１，Ｒ２を傾け可能に構成し、かつ移動手段であるアクチュエータ７８によって対物レンズ３７をトラッキング方向に移動可能に構成している。図１には、第１および第２発光軸Ｒ１，Ｒ２を傾け、かつ対物レンズ３７をトラッキング方向の一方から他方に移動させた場合の光ピックアップ装置３０を示している。以下に、光記録媒体３８に対する情報の記録および再生の信頼性が低下する理由、ならびに主光線Ｌ１に対して第１および第２発光軸Ｒ１，Ｒ２を傾ける構成、および対物レンズ３７をトラッキング方向に移動させる構成について説明する。
【００４６】
図３は、光ピックアップ装置３０を簡略化して示す図である。図３では、理解を容易にするために、第１光源４１の第１発光素子４４から発せられた光束がホログラム回折格子５０を透過し、コリメートレンズ３４および対物レンズ３７を介して光記録媒体３８の情報記録面に集光した後、光記録媒体３８で反射された反射光がホログラム回折格子５０で回折され、光検出器４６の所定の受光領域に入射する場合を示している。本実施の形態のホログラム回折格子５０は、円形状であり、第１格子領域６１、第２格子領域６２および第３格子領域６３を有する。第１格子領域６１は、第１分割線６４によって分割される２つの半円形状の領域のうち一方の領域である。第２格子領域６２は、前記２つの半円形状の領域のうち他方の半円形状の領域が前記第１分割線６４に垂直な第２分割線６５によって分割される２つの１／４円形状の領域のうちの一方の領域である。第３格子領域６３は、前記２つの１／４円形状の領域のうちの他方の領域である。光検出器４６の各受光領域Ａ,Ｂ,Ｃ,Ｄから出力される信号をそれぞれＳａ,Ｓｂ,Ｓｃ,Ｓｄとすると、フォーカス誤差信号（略称：ＦＥＳ）およびトラッキング誤差信号（略称：ＴＥＳ）は、以下の式（１）および式（２）によって検出される。
ＦＥＳ＝Ｓａ−Ｓｂ                                              …（１）
ＴＥＳ＝Ｓｃ−Ｓｄ                                              …（２）
【００４７】
図４は、図３に示すホログラム回折格子５０に入射した反射光のスポット（以下、「反射光スポット」という場合がある）７０を示す図である。以下の説明では、発光点を発光素子と同一の参照符号を付して説明する。図４（１）は、第１発光点４４とホログラム回折格子５０との位置関係が、光学的に理想的な状態を示す図であり、図４（２）は、第１発光点４４とホログラム回折格子５０との位置関係が、光学的に理想的な状態からずれた状態を示す図である。
【００４８】
第１発光点４４とホログラム回折格子５０との位置関係が光学的に理想的な状態では、図４（１）に示すように、第２格子領域６２および第３格子領域６３にそれぞれ形成される反射光スポット７０の面積が等しくなる。換言すると第２および第３格子領域６２，６３にそれぞれ入射する前記反射光の光量が等しくなる。これに対して、第１光源４１の製造上のばらつきによって、第１発光点４４とホログラム回折格子５０との位置関係が光学的に理想的な状態からずれた状態では、たとえば図４（２）に示すように、第２格子領域６２に形成される反射光スポット７０の面積に比べて、第３格子領域６３に形成される反射光スポット７０の面積が大きくなる。換言すると、第２格子領域６２に入射する前記反射光の光量に比べて、第３格子領域６３に入射する前記反射光の光量が多くなる。
【００４９】
したがって、ホログラム回折格子５０で回折されて光検出器４６の所定の受光領域で受光される光量のバランスが崩れてしまい、ＦＥＳおよびＴＥＳを正確に検出することが不可能となり、光記録媒体３８に対する情報の記録および再生の信頼性が低下してしまう。第２光源４２から発せられ、光記録媒体３８で反射された光束がホログラム回折格子５０に入射する場合にも前述と同様のことがいえる。そこで本実施の形態では、第１および第２光源４１，４２を、後述するハウジング８０によって支持する前に、予め第２および第３格子領域６２，６３にそれぞれ入射される前記反射光の光量を測定し、測定によって得られた光量に基づいて、主光線Ｌ１に対して第１発光軸Ｒ１および第２発光軸Ｒ２の少なくともいずれか一方を傾ける方向を決定する。本実施の形態において、主光線Ｌ１に対して第１および第２発光軸Ｒ１，Ｒ２の少なくともいずれか一方を傾ける工程は、傾斜工程に相当する。
【００５０】
図５は、反射光の光量を測定するための光学系７５を簡略化して示す図である。図６は、第１発光点４４とホログラム回折格子５０との位置関係を示す図である。図６（１）は、ホログラム回折格子５０に入射した反射光スポット７０および第１発光点４４を示す図であり、図６（２）は、第１発光点４４、第１光源４１およびホログラム素子４３を示す図である。図７は、第１光源を傾けた場合の第１発光点４４とホログラム回折格子５０との位置関係を示す図である。図７（１）は、ホログラム回折格子５０に入射した反射光スポット７０および第１発光点４４を示す図であり、図７（２）は、第１発光点４４、第１光源４１およびホログラム素子４３を示す図である。
【００５１】
光学系７５は、図５に示すように、第１光源４１、ホログラム回折格子５０が形成されるホログラム素子４３、コリメートレンズ３４、対物レンズ３７およびカバーガラス７６を含む。カバーガラス７６は、光記録媒体３８を模擬した平板状のガラスである。第１光源４１の電極部４９に、電源電圧および電源電圧の１／２に相当する参照電圧が印加されると、レーザ発光電流が通電され、光束が発せられる。図５に示す光学系７５では、光ピックアップ装置３０に用いられる第１光源４１、ホログラム素子４３、コリメートレンズ３４および対物レンズ３７が配設される。第１光源４１から発せられる光束は、ホログラム素子４３、コリメートレンズ３４および対物レンズ３７を通過してカバーガラス７６に結像される。カバーガラス７６は、カバーガラス７６の厚み方向（図５では紙面の左右方向）Ｘに変位可能であり、対物レンズ３７とカバーガラス７６との間の距離を変位させることによって、第１光源４１から発せられる光束をカバーガラス７６に結像させる。カバーガラス７６に光スポットが結像される合焦状態で、カバーガラス７６で反射された反射光がホログラム回折格子５０によって回折されて光検出器４６に入射したとき、光検出器４６によって、ホログラム回折格子５０の第２および第３格子領域６１，６２にそれぞれ入射する反射光の光量を測定する。本実施の形態では、第１光源４１を用いて前記反射光の光量を測定する場合について説明したが、第２光源４２を用いた場合も同様にして前記反射光の光量を測定することができる。
【００５２】
ホログラム回折格子５０の第２格子領域６２に形成される反射光スポット７０の面積が、図６（１）に示すように、第３格子領域６３に形成される反射光スポット７０の面積よりも大きい場合、換言すると前述のようにして光量を測定した結果、第２格子領域６２に入射する前記反射光の光量に比べて、第３格子領域６３に入射する前記反射光の光量が少ない場合には、図７（２）に示すように第３格子領域６３に入射する反射光の光量が増加する方向に第１光源４１を傾ける。逆に、第２格子領域６２に形成される反射光スポット７０の面積が第３格子領域６３に形成される反射光スポット７０の面積よりも小さい場合には、その面積の差を埋めるべく第１光源４１を傾ける。このように第２および第３格子領域６２，６３に形成される反射光スポット７０の面積比に応じて、図１に示すように、主光線Ｌ１に対して第１発光軸Ｒ１を傾ける。
【００５３】
前述のように光学系７５によって、第２および第３格子領域６２，６３にそれぞれ入射される前記反射光の光量を測定して、主光線Ｌ１に対して傾ける第１発光軸Ｒ１の方向を決定する。そして、前記決定した方向に光源を傾けることによって主光線Ｌ１に対して第１発光軸Ｒ１を傾ける。これによって図７（１）に示すように、第２および第３格子領域６２，６３にそれぞれ形成される反射光スポット７０の面積をほぼ等しくすることができる。つまり、第２格子領域６２および第３格子領域６３にそれぞれ入射する反射光の光量をほぼ等しくすることができる。
【００５４】
図８は、第２発光点４５とホログラム回折格子５０との位置関係がずれている場合の光ピックアップ装置３０の構成を簡略化して示す図である。図８（１）は、第２光源４２から発せられる光束の光経路を示す図であり、図８（２）は、ホログラム回折格子５０に入射した反射光スポット７０および第２発光点４５を示す図である。図９は、第２発光点４５とホログラム回折格子５０との位置関係を補正した場合の光ピックアップ装置３０の構成を簡略化して示す図である。図９（１）は、第２光源４２から発せられる光束の光経路を示す図であり、図９（２）は、ホログラム回折格子５０に入射した反射光スポット７０および第２発光点４５を示す図である。図８（１）および図９（１）では、理解を容易にするために、第１ホログラムレーザユニット３１およびコリメートレンズ３４を省略している。
【００５５】
第２光源４２の第２発光素子４５から発せられる光束は、ホログラム素子４３のホログラム回折格子５０を透過し、ビームスプリッタ３３の反射面部３３ａに入射する。前記光束は、反射面部３３ａで反射され、反射された光束は対物レンズ３７に導かれ、対物レンズ３７によって集束光束となり、光記録媒体３８の情報記録面に光スポットを結像する。
【００５６】
光記録媒体３８で反射された反射光は、対物レンズ３７を通過してビームスプリッタ３３の反射面部３３ａに入射し、９０度屈曲されてホログラム素子４３のホログラム回折格子５０に入射する。そしてホログラム回折格子５０によって回折されて、光検出器４６の所定の受光領域に導かれる。前記ビームスプリッタ３３の反射面部３３ａにおける反射率は、反射面部３３ａに対する入射角によって変動する性質、つまり入射角依存性があるため、ビームスプリッタ３３に入射する光束の領域によって反射される光量が変わる。したがってビームスプリッタ３３に入射する光束の強度分布が対称である場合でも、反射面部３３ａで反射された光束の強度分布に片寄りが生じてしまう。光束の強度分布に片寄りが生じると、光記録媒体３８で反射された反射光の強度分布が非対称となり、たとえばホログラム回折格子５０の第２格子領域６２に形成される反射光スポット７０の面積が、図８（２）に示すように、第３格子領域６３に形成される反射光スポット７０の面積に比べて大きくなる。換言すると、第２格子領域６２に入射する反射光の光量が、第３格子領域６３に入射する反射光の光量に比べて多くなる。したがって光検出器４６で受光される光量のバランスが崩れ、ＦＥＳおよびＴＥＳの正確な検出が不可能となり、光記録媒体３８に対する情報の記録および再生の信頼性が低下してしまう。
【００５７】
そこで本実施の形態では、図９（１）に示すように先ず第２光源４２を傾け、さらに図９（２）に示すように対物レンズ３７をトラッキング方向、つまり光記録媒体３８の半径方向に略平行な方向に移動させる。対物レンズ３７を移動させるにあたって、光ピックアップ装置３０は、前記対物レンズ３７を移動させるための移動手段であるアクチュエータ７８を備えている。したがってアクチュエータ７８を駆動させることによって、前記対物レンズ３７をトラッキング方向に所定の距離だけ移動させることができる。具体的に述べると、第２格子領域６２に入射する前記反射光の光量に比べて、第３格子領域６３に入射する前記反射光の光量が少ない場合には、第３格子領域６３に入射する反射光の光量が増加し、第２および第３格子領域６２，６３に入射する反射光の光量が等しくなるように、トラッキング方向の一方から他方、図９（１）では紙面の左右方向の右方から左方に、破線で示す位置から実線で示す位置に、アクチュエータ７８を駆動させて対物レンズ３７を移動させる。本実施の形態において、アクチュエータ７８を駆動させて対物レンズ３７を移動させる工程は、移動工程に相当する。
【００５８】
次に、光ピックアップ装置３０において、図９に示すように、第２光源４２を傾け、かつ対物レンズ３７をトラッキング方向へ移動させた後に、第１光源４１を傾ける場合について説明する。図１０は、光ピックアップ装置３０の構成を簡略化して示す図である。第２光源４２から発せられ、ビームスプリッタ３３の反射面部３３ａで反射された光束の強度分布が対称となるように、対物レンズ３７をトラッキング方向に移動させているので、対物レンズ３７の入射瞳中心と、コリメートレンズ３４を通過した平行光束５６の中心とは、図１０に示すように、ずれている。第２光源４２が傾けられ、かつ対物レンズ３７が移動された状態で、第１光源４１を傾ける場合、対物レンズ３７のトラッキング方向への移動量を考慮したうえで、前述の図５に示す光学系７５の光検出器４６によって、第２格子領域６２および第３格子領域６３に入射する反射光の光量を測定し、その測定結果に基づいて第１光源４１つまり主光線Ｌ１に対して第１発光軸Ｒ１を傾ける方向を決定する。そして、決定した方向に第１光源４１つまり第１発光軸Ｒ１を傾ける調整を行い、第２格子領域６２および第３格子領域６３にそれぞれ形成される反射光スポット７０の面積が等しくなるようにする。換言すると、第２格子領域６２および第３格子領域６３に入射する反射光の光量が等しくなるようにする。前述のように発光軸を傾ける傾斜工程において、発光軸を傾ける方向を決定する段階は、方向決定段階に相当し、発光軸の傾きを調整する段階は、調整段階に相当する。
【００５９】
前述のように傾斜工程において、主光線Ｌ１に対して発光軸を傾けることによって、第１光源４１から発せられ、ビームスプリッタ３３の反射面部３３ａで反射された光束の強度分布を対称にすることができる。つまり、前記反射面部３３ａで反射された光束の強度分布に片寄りが生じることを防ぐことができ、ＦＥＳおよびＴＥＳを正確に検出することができる。したがって光記録媒体３８に対する情報の記録および再生の信頼性の低下を防ぐことができる。前述のように本実施の形態によれば、第１光源４１の製造上のばらつきを考慮して、予め主光線Ｌ１に対して第１発光軸Ｒ１を傾ける方向を決定した後で、第１発光軸Ｒ１の傾きを調整して第１光源４１を組立てることができるので、光ピックアップ装置３０の歩留まりを向上することができる。
【００６０】
図１１は、第１ホログラムレーザユニット３１およびビームスプリッタ３３を示す図である。図１２は、ステム４７とハウジング８０との間に板体８２を介在させたときの第１ホログラムレーザユニット３１およびビームスプリッタ３３を示す図である。図１１および図１２では、理解を容易にするために、第１光源４１の電極部４９を省略している。光ピックアップ装置３０は、支持手段であるハウジング８０を含む。ハウジング８０は、少なくとも第１ホログラムレーザユニット３１およびビームスプリッタ３３を支持する筐体であり、金属製材料から成る。第１光源４１を傾けていない場合、つまり主光線Ｌ１に対して第１発光軸Ｒ１を傾けていない場合、第１光源４１のステム４７の厚み方向一表面部には、図１１に示すようにハウジング８０の一表面部が当接される。第１光源４１を傾けていない状態で、第１光源４１から発せられる光束が光記録媒体３８で反射されてホログラム回折格子５０に入射したときに第２格子領域６２および第３格子領域６３にそれぞれ形成される反射光スポット７０の面積が等しくない場合、前述のように本実施の形態では第１光源４１を、傾斜手段であるハウジング８０および板体８２によって傾ける。
【００６１】
第１光源４１を傾けるために、本実施の形態では図１２に示すように、第１光源４１のステム４７の長手方向一端部および他端部のいずれか一方の位置で、かつステム４７の厚み方向一表面部と、ハウジング８０の一表面部との間に、たとえばステンレス鋼板から成る板体８２を介在させる。板体８２を介在させることによって、厳密には第１光源４１の第１発光素子４４の発光点の位置が変位することになるが、介在させる板体８２の厚み方向寸法を極めて薄く、たとえば５０μｍ程度にすることによって、前記発光点の位置の変位量を微小にでき、光記録媒体３８に対する信号の記録および再生に影響を与えないようにすることができる。第２光源４２を所定の方向に傾ける場合は、前述の第１光源４１を傾ける場合と同様に、ステム４７の厚み方向一表面部と、ハウジング８０の一表面部との間に板体８２を介在させればよい。
【００６２】
図１３は、第１ホログラムレーザユニット３１、ハウジング８０および板体８２を示す断面図である。図１４は、板体８２を示す斜視図である。ハウジング８０には、後述する板体８２を介して第１光源４１を固定するための突起部８１を有する。板体８２は、断面形状が略Ｌ字状に形成される。板体８２は、平板状に形成される基部８３および基部８３の幅方向一端部に連なり、平板状に形成されるフランジ部８４を有する。基部８３の略中央部には、基部８３の厚み方向に貫通し、かつ前記ハウジング８０の突起部８１に嵌合可能な孔部８５が形成される。ハウジング８０の一表面部から突出する突起部８１の突出方向の長さ寸法ｈ１は、板体８２の基部８３の厚み方向寸法ｈ２よりも大きくなるように形成される。第１光源４１のステム４７の長手方向両端部には、ステム４７の厚み方向一方に開放する溝部８６ａ，８６ｂが形成される。本実施の形態では、ステム４７の厚み方向一表面部と、ハウジング８０の一表面部との間に板体８２を介在させることによって第１および第２光源４１，４２を傾ける傾斜工程の前に、成型工程においてハウジング８０を成型する。これによってハウジング８０の量産性を高めることができる。
【００６３】
本実施の形態では、ステム４７の長手方向一端部において、ステム４７の厚み方向一表面部と、ハウジング８０の一表面部との間に板体８２を介在させることによって第１光源４１を傾ける場合を想定する。まず、板体８２の基部８３に形成される孔部８５に、ハウジング８０の突起部８１を嵌合させることによって板体８２をハウジング８０に支持させる。前記突起部８１の突出方向の長さ寸法ｈ１は、基部８３の厚み方向寸法ｈ２よりも大きくなるように形成されているので、孔部８５に突起部８１を嵌合させたとき、突起部８１の先端部分は孔部８５から突出する。次に、前記突起部８１を、第１光源４１の一部を成す基準面、具体的には第１光源４１のステム４７の厚み方向一表面に対して直交する方向に突出するように配設する。そして、ステム４７に形成される溝部８６ａに、板体８２の基部８３に形成される孔部８５から突出する突起部８１の先端部分を嵌入させる。前記溝部８６ａに、前記孔部８５から突出する突起部８１の先端部分が嵌入されたとき、板体８２のフランジ部８４の他表面部と、ステム４７の長手方向一表面部とが当接され、かつ板体８２の基部８３の厚み方向他表面部と、ステム４７の厚み方向一表面部とが当接される。ステム４７の長手方向他端部は、ステム４７の厚み方向一表面部と、ハウジング８０の一表面部との間に板体８２を介在させずに、ステム４７に形成される溝部８６ｂに、ハウジング８０の突起部８１を嵌入させる。
【００６４】
本実施の形態では、ハウジング８０および板体８２と、キャップ部４８とが干渉しないように、ハウジング８０および板体８２と、キャップ部４８とは、キャップ部４８の長手方向に間隔をあけて設けられるので、前述のようにステム４７の長手方向一端部または他端部において、ステム４７の厚み方向一表面部と、ハウジング８０の一表面部との間に板体８２を介在させたとき、第１光源４１または第２光源４２を所定の方向に傾けて、ハウジング８０に対する第１または第２光源４１，４２の支持角度を確実に調整することができる。
【００６５】
本実施の形態では、基部８３の厚み方向寸法ｈ２がそれぞれ異なる複数の板体８２を用意しておき、ステム４７の厚み方向一表面部と、ハウジング８０の一表面部との間に介在させる板体８２を換えることによって、ハウジング８０に対する第１光源４１の支持角度を調整することができる。ただし複数の板体８２は、基部８３の厚み方向寸法ｈ２が、前記突起部８１の突出方向の長さ寸法ｈ１よりも大きくなるように形成する。主光線Ｌ１に対して第１発光軸Ｒ１を傾ける方向を決定し、ハウジング８０に対する第１光源４１の支持角度、つまり第１発光軸Ｒ１の傾きの調整をした後は、前述のようにして第１光源４１を含む第１ホログラムレーザユニット３１を、ハウジング８０に支持させ、ハウジング８０および板体８２と、第１ホログラムレーザユニット３１とを接着剤によって固着させる。
【００６６】
前述のように本実施の形態によれば、ハウジング８０および板体８２によって、第１および第２光源４１，４２の発光点と対物レンズ３７の入射瞳の中心とを結ぶ主光線Ｌ１に対して、前記第１および第２光源４１，４２の発光強度分布の中心を成す発光軸を傾け、かつアクチュエータ７８によって、第１および第２光源４１，４２から発せられる光束を光記録媒体３８に集光させる対物レンズ３７をトラッキング方向、つまり光記録媒体３８の半径方向に略平行な方向に移動させる。したがって第１および第２光源４１，４２の製造上のばらつきによって、第１および第２光源４１，４２からの発散光束の発光強度分布に片寄りが生じることを防ぐことができる。また前記従来の技術とは異なり、第１および第２光源４１，４２の製造上のばらつきによって対物レンズ３７のトラッキング方向への移動量が大きくなり、入射瞳の変位量が理想的な変位量よりも大きくなることを防ぐことができる。換言すると、入射瞳の変位量を最小限に抑えることができる。これによって対物レンズ３７の入射瞳に、発光強度分布がほぼ対称な光束を入射させることができ、歪みの無い所望の光スポット形状の光束を光記録媒体３８に結像させることができる。
【００６７】
したがって再生信号の時間軸方向の揺らぎ成分であるジッターを最小限に抑えることができ、フォーカス誤差信号およびトラッキング誤差信号の品質を向上することができる。これによって光記録媒体３８に対する情報の記録および再生の信頼性を向上することができる。このように傾斜手段であるハウジング８０および板体８２と、移動手段であるアクチュエータ７８とによって協働して、発光強度分布に片寄りが生じることを防止することができるうえ、ＦＥＳおよびＴＥＳなどの信号の品質向上を図ることが可能となるので、筐体が特殊形状である前記従来の技術に比べて、光ピックアップ装置３０の構造を簡単化することができる。したがって情報の記録および再生の信頼性を向上することができるとともに、製造時の工数の低減を図ることができる。
【００６８】
また本実施の形態によれば、第１および第２光源４１，４２が、異なる波長の光束を発する複数の発光素子を含む場合でも、複数の発光素子の各発光点と対物レンズ３７の入射瞳中心とを結ぶ主光線Ｌ１に対して前記第１および第２光源４１．４２の発光強度分布の中心を成す発光軸を傾斜させ、かつ対物レンズ３７をトラッキング方向に移動させることによって、第１および第２光源４１，４２の製造上のばらつきによって第１および第２光源４１，４２からの発散光束の発光強度分布に片寄りが生じることを防ぐことができる。したがって歪みの無い所望の光スポット形状の光束を光記録媒体３８に結像させることができる。これによってフォーカス誤差信号およびトラッキング誤差信号の品質を向上することができ、光記録媒体３８に対する情報の記録および再生の信頼性を向上することができる。
【００６９】
また本実施の形態によれば、第１および第２光源４１，４２を支持するハウジング８０の一表面部と、ステム４７の厚み方向一表面部との間に板体８２を介在させることによって、ハウジング８０に対する第１および第２光源４１，４２の支持角度を変位させることができる。したがって本実施の形態では、第１および第２光源４１，４２を傾ける、つまり前記主光線Ｌ１に対して発光軸を傾斜させるために、ハウジング８０を特殊な形状に加工する必要がある前記従来の技術とは異なり、ハウジング８０の一表面部と、ステム４７の厚み方向一表面部との間に板体８２を介在させるだけで、比較的容易に主光線Ｌ１に対して発光軸を傾斜させて、ハウジング８０に対する第１および第２光源４１，４２の支持角度を調整することができる。これによって光ピックアップ装置３０の組立作業を簡素化でき、光ピックアップ装置３０の製造工程数および製造コストを低減することができる。
【００７０】
また本実施の形態によれば、ハウジング８０は突起部８１を有しており、この突起部８１によって、板体８２を介して第１および第２光源４１，４２を確実かつ迅速に固定することができる。
【００７１】
また本実施の形態によれば、ハウジング８０の突起部８１は、第１および第２光源４１，４２の一部を成す基準面、具体的にはステム４７の厚み方向一表面部に対して直交する方向に突出するように配設されるので、ハウジング８０に対して板体８２および第１および第２光源４１，４２を仮止めすることなく支持することができる。したがってハウジング８０から板体８２および第１および第２光源４１，４２が不所望に脱落することを極力防止することができる。
【００７２】
また本実施の形態によれば、板体８２の基部８３には、ハウジング８０の突起部８１に嵌合可能な孔部８３が形成される。板体８２に形成される孔部８５に、前記突起部８１が嵌合されるので、ハウジング８０によって板体８２を確実に支持することができる。これによってハウジング８０から板体８２が脱落することを確実に防止することができる。
【００７３】
また本実施の形態によれば、傾斜工程において、主光線Ｌ１に対して、第１および第２光源４１，４２の発光強度分布の中心を成す発光軸を傾けた後に、移動工程において、対物レンズ３７をトラッキング方向に移動させる。前述のように傾斜工程で発光軸を傾けることによって、第１および第２光源４１，４２の製造上のばらつきによって生じる第１および第２光源４１，４２からの発散光束の発光強度分布の片寄りをほぼ補正することができるので、移動工程における対物レンズ３７の移動量を小さくすることができる。したがって、第１および第２光源４１，４２の製造上のばらつきによって対物レンズ３７の入射瞳の変位量が理想的な変位量よりも大きくなることを防ぐ、つまり入射瞳の変位量を最小限に抑えることができる。これによって光記録媒体３８に対する情報の記録および再生の信頼性を向上することができる。
【００７４】
また本実施の形態によれば、光ピックアップ装置３０は、第１光源４１とホログラム素子４３とを一体にした第１ホログラムレーザユニット３１、および第２光源４２とホログラム素子４３とを一体にした第２ホログラムレーザユニット３２を備えて構成される。したがって第１または第２光源４１，４２とホログラム素子４３とが別体に構成される（以下、「別体品」という）場合に比べて、光ピックアップ装置３０の製造時における工数が低減されるとともに、光軸調整などの光学的調整作業も簡素化される。さらに別体品に比べて部品点数の低減化を図ることが可能となる。このように工数の低減および調整作業の簡素化によって、光ピックアップ装置３０の製造コストを低減することができる。
【００７５】
また本実施の形態によれば、前述の光ピックアップ装置３０を電子機器、たとえば光ディスク装置に搭載することによって、前述のような光ピックアップ装置３０の各効果を達成可能な光ディスク装置を実現することができる。
【００７６】
前述の実施の形態は、本発明の例示に過ぎず、発明の範囲内において構成を変更することができる。前述の実施の形態では、ハウジング８０に突起部８１を設け、板体８２に孔部８５を形成し、前記突起部８１を孔部８５に嵌合するように構成されているが、本発明の他の実施の形態では、板体８２の基部８３に突起部を設け、ハウジング８０の一表面部に、前記板体８２に設けられる突起部を嵌合可能な孔部を形成し、前記板体８２の突起部をハウジング８０の孔部に嵌合するように構成してもよい。
【００７７】
また前述の実施の形態では、ハウジング８０に対する光源の支持角度を調整した後に、ハウジング８０および板体８２と、第１ホログラムレーザユニット３１とを接着剤によって固着させているが、ねじ部材などによって固着させてもよい。
【図面の簡単な説明】
【００７８】
【図１】本発明の実施の一形態である光ピックアップ装置３０の構成を示す平面図である。
【図２】光ピックアップ装置３０の構成を示す側面図である。
【図３】光ピックアップ装置３０を簡略化して示す図である。
【図４】図３に示すホログラム回折格子５０に入射した反射光のスポット７０を示す図である。
【図５】反射光の光量を測定するための光学系７５を簡略化して示す図である。
【図６】第１発光点４４とホログラム回折格子５０との位置関係を示す図である。
【図７】第１光源を傾けた場合の第１発光点４４とホログラム回折格子５０との位置関係を示す図である。
【図８】第２発光点４５とホログラム回折格子５０との位置関係がずれている場合の光ピックアップ装置３０の構成を簡略化して示す図である。
【図９】第２発光点４５とホログラム回折格子５０との位置関係を補正した場合の光ピックアップ装置３０の構成を簡略化して示す図である。
【図１０】光ピックアップ装置３０の構成を簡略化して示す図である。
【図１１】第１ホログラムレーザユニット３１およびビームスプリッタ３３を示す図である。
【図１２】ステム４７とハウジング８０との間に板体８２を介在させたときの第１ホログラムレーザユニット３１およびビームスプリッタ３３を示す図である。
【図１３】第１ホログラムレーザユニット３１、ハウジング８０および板体８２を示す断面図である。
【図１４】板体８２を示す斜視図である。
【図１５】従来の技術の光ピックアップ装置１の構成を示す平面図である。
【図１６】光ピックアップ装置１の構成を示す側面図である。
【図１７】第１ホログラムレーザユニット２の構成を示す斜視図である。
【符号の説明】
【００７９】
３０  光ピックアップ装置
３１  第１ホログラムレーザユニット
３２  第２ホログラムレーザユニット
３３  ビームスプリッタ
３４  コリメートレンズ
３５  立上げミラー
３６  アパーチャ
３７  対物レンズ
３８  光記録媒体
４１  第１光源
４２  第２光源
４３  ホログラム素子
４４  第１発光素子（第１発光点）
４５  第２発光素子（第２発光点）
４６  光検出器
４７  ステム
４８  キャップ部
４９  電極部
５０  ホログラム回折格子
５５  発散光束
５６  平行光束
５７  集束光束
５８  反射光束
６１  第１格子領域
６２  第２格子領域
６３  第３格子領域
６４  第１分割線
６５  第２分割線
７０  反射光スポット
８０  ハウジング
８１  突起部
８２  板体
８３  基部
８４  フランジ部
８５  孔部
８６ａ，８６ｂ  溝部
Ｌ１  主光線
Ｒ１  第１発光軸
Ｒ２  第２発光軸
【図１】
2006302429.tif 000003
【図２】
2006302429.tif 000004
【図３】
2006302429.tif 000005
【図４】
2006302429.tif 000006
【図５】
2006302429.tif 000007
【図６】
2006302429.tif 000008
【図７】
2006302429.tif 000009
【図８】
2006302429.tif 000010
【図９】
2006302429.tif 000011
【図１０】
2006302429.tif 000012
【図１１】
2006302429.tif 000013
【図１２】
2006302429.tif 000014
【図１３】
2006302429.tif 000015
【図１４】
2006302429.tif 000016
【図１５】
2006302429.tif 000017
【図１６】
2006302429.tif 000018
【図１７】
2006302429.tif 000019